(57)【要約】【課題】  チャンネル等化器及びチャンネル等化方法を提供する。【解決手段】  トレーニング・シーケンスを保存するためのフィードフォワードフィルタを具備し、前記チャンネル等化器の出力信号が収斂しない場合、前記フィードフォワードフィルタに保存された前記トレーニング・シーケンスを前記フィードフォワードフィルタの入力信号にフィードバックさせうるチャンネル等化器。前記チャンネル等化方法は前記チャンネル等化器を利用してチャンネル等化を実行する。【選択図】  図２
2005073260.tif 000002
【特許請求の範囲】
【請求項１】
チャンネル等化器において、
フィードフォワードフィルタと、
前記チャンネル等化器に入力される入力信号と前記フィードフォワードフィルタの出力信号とを受信し、前記入力信号と前記フィードフォワードフィルタの出力信号のうち何れか１つを前記フィードフォワードフィルタの入力信号として供給するスイッチング部と、を具備することを特徴とするチャンネル等化器。
【請求項２】
前記フィードフォワードフィルタは直列に接続された多数のフィルタセルを具備し、前記多数のフィルタセルのそれぞれは対応するトレーニング・シーケンスを保存することを特徴とする請求項１に記載のチャンネル等化器。
【請求項３】
前記スイッチング部は制御信号を受信し、
前記チャンネル等化器の出力信号が収斂しない場合、前記スイッチング部は第１状態を有する制御信号に応答して前記フィードフォワードフィルタの出力信号をフィードバック経路を通じて前記フィードフォワードフィルタの入力信号に供給し、
前記チャンネル等化器の出力信号が収斂する場合、前記スイッチング部は第２状態を有する前記制御信号に応答して前記入力信号を構成する信号のうちトレーニング・シーケンスを除外した信号を前記フィードフォワードフィルタの入力信号として供給することを特徴とする請求項１に記載のチャンネル等化器。
【請求項４】
チャンネル等化器において、
入力端及び出力端を具備するフィードフォワードフィルタと、
入力信号を受信する第１入力端、フィードバック経路を通じて前記フィードフォワードフィルタの出力端と接続される第２入力端、及び前記フィードフォワードフィルタの入力端に接続される出力端を具備するスイッチング部と、を具備することを特徴とするチャンネル等化器。
【請求項５】
前記スイッチング部は制御信号に応答して前記第１入力端と前記第２入力端のうち何れか１つと前記スイッチング部の出力端とを接続することを特徴とする請求項４に記載のチャンネル等化器。
【請求項６】
前記チャンネル等化器の出力信号が収斂しない場合、前記スイッチング部は第１状態を有する制御信号に応答して前記第２入力端と前記スイッチング部の出力端とを接続し、
その他の場合、前記スイッチング部は第２状態を有する前記制御信号に応答して前記第１入力端と前記スイッチング部の出力端とを接続することを特徴とする請求項４に記載のチャンネル等化器。
【請求項７】
前記フィードフォワードフィルタはトレーニング・シーケンスを保存するための多数のフィルタセルを具備することを特徴とする請求項４に記載のチャンネル等化器。
【請求項８】
チャンネル等化器において、
フィードフォワードフィルタと、
前記フィードフォワードフィルタの出力端に接続されるバッファ部と、
前記チャンネル等化器に入力される入力信号と前記バッファ部の出力信号とを受信し、前記入力信号と前記バッファ部の出力信号のうち何れか１つを前記フィードフォワードフィルタの入力信号として供給するスイッチング部と、を具備することを特徴とするチャンネル等化器。
【請求項９】
前記フィードフォワードフィルタと前記バッファ部のそれぞれは直列に接続された多数のフィルタセルを具備し、
前記フィードフォワードフィルタと前記バッファ部のフィルタセルのそれぞれはシフトレジスタで具現されることを特徴とする請求項８に記載のチャンネル等化器。
【請求項１０】
前記フィードフォワードフィルタと前記バッファ部のフィルタセルそれぞれはトレーニング・シーケンスを保存することを特徴とする請求項９に記載のチャンネル等化器。
【請求項１１】
前記チャンネル等化器の出力信号が収斂しない場合、前記スイッチング部は第１状態を有する制御信号に応答してフィードバック経路を通じて前記フィードフォワードフィルタの出力信号を前記フィードフォワードフィルタの入力信号に供給し、
その他の場合、前記スイッチング部は第２状態を有する前記制御信号に応答して前記入力信号を構成する信号のうちトレーニング・シーケンスを除外した信号を前記フィードフォワードフィルタの入力信号として供給することを特徴とする請求項８に記載のチャンネル等化器。
【請求項１２】
チャンネル等化器を使用してチャンネルを等化する方法において、
前記チャンネル等化器の出力信号が収斂するか否かを判断する段階と、
前記チャンネル等化器の出力信号が収斂しない場合、チャンネル等化器のフォワードフィルタに保存されたトレーニング・シーケンスを前記チャンネル等化器のフォワードフィルタの入力信号としてフィードバックさせる段階と、を具備することを特徴とするチャンネル等化方法。
【請求項１３】
請求項１２に記載の方法をコンピュータで実行させるためのプログラムを書き込んだコンピュータで読取れる書込み媒体。
【請求項１４】
チャンネル信号を等化する装置において、
前記装置に入力されるチャンネル信号の歪曲を補償するためのフィードフォワードフィルタと、
制御信号に基づいて前記フィードフォワードフィルタに出力信号を供給するスイッチング部と、を具備し、
前記フィードフォワードフィルタは前記スイッチング部から受信された出力信号に基づいて前記パネル信号の歪曲を補償することを特徴とする装置。
【請求項１５】
前記フィードフォワードフィルタは前記スイッチング部から受信された出力信号とエラー信号とに基づいて前記パネル信号の歪曲を補償することを特徴とする請求項１４に記載の装置。
【請求項１６】
前記エラー信号は前記装置の出力信号と決定値の１つ、またはそれ以上に基づいて発生することを特徴とする請求項１５に記載の装置。
【請求項１７】
前記装置の出力信号が収斂しない場合、前記スイッチング部は第１状態を有する制御信号に応答してフィードバック経路を通じて前記フィードフォワードフィルタの出力信号を前記フィードフォワードフィルタの入力信号に供給し、
その他の場合、前記スイッチング部は第２状態を有する前記制御信号に応答して前記入力信号を構成する信号のうちトレーニング・シーケンスを除外した信号を前記フィードフォワードフィルタの入力信号に供給することを特徴とする請求項１４に記載の装置。
【請求項１８】
ＨＤＴＶ受信機のチャンネル等化器に入力されるチャンネル信号を等化する方法において、
前記チャンネル等化器の出力信号が収斂するか否かを判断する段階と、
前記チャンネル等化器の出力信号が収斂しない場合、入力されるチャンネル信号の歪曲を補償するために使われる少なくとも１つのトレーニング・シーケンスを提供する段階と、を具備することを特徴とするチャンネル信号を等化する方法。
【請求項１９】
請求項１８に記載の方法をコンピュータで実行させるためのプログラムを書き込んだコンピュータで読み取り可能な書込み媒体。
【発明の詳細な説明】
【技術分野】
【０００１】
本発明は、チャンネル等化器に係り、より詳細にはフィードフォワードフィルタに保存されたトレーニング・シーケンスを前記フィードフォワードフィルタの入力信号としてフィードバックさせて再利用できる構造を有するチャンネル等化器及び前記チャンネル等化器を利用したチャンネル等化方法に関する。
【背景技術】
【０００２】
一般的に、高画質テレビ（ＨＤＴＶ）を含むデジタル通信システムの物理的チャンネルは自由空間である。理想的なチャンネルは媒質のない真空状態で具現できるが、実際、伝送信号は空気や大気層などの気象変化によって伝送経路が屈折されるので、受信機で前記伝送信号は多重経路を通じて受信される。
【０００３】
また、多重経路には固定された多重経路と時変化多重経路とがある。前記固定された多重経路は山、絶壁などの地形及び建物などによって伝送信号が反射または透過されて伝播される経路をいい、前記時変化多重経路は飛行機、自動車などによって伝送信号が変動的に伝播される経路をいう。
【０００４】
このような多重経路信号は同じ伝送信号が異なった電波時間を有するいくつかの経路を経て伝えられるので、多重経路を通じて受信された信号は高速のデジタル通信システムの性能を低下させる最も大きい原因であるシンボル間干渉（ＩＳＩ：Ｉｎｔｅｒ Ｓｙｍｂｏｌ Ｉｎｔｅｒｆｅｒｅｎｃｅ）を発生させる。
【０００５】
このようにチャンネルは信号歪曲を発生させる。ＨＤＴＶのようなデジタル伝送方式において、信号の歪曲は受信側でビット検出エラーを引き起こすので、画面全体の復元が不可能になるか、全く異なった画像が現れる現象が発生する可能性がある。
【０００６】
このような現象を解決するために、歪曲されたチャンネルを通過した伝送信号を処理して前記チャンネルの特性を補償することによって、受信側でのビット検出エラーを減少させるのがチャンネル等化器である。
【０００７】
チャンネル等化器の性能を向上させるために、前記チャンネル等化器の出力信号が所定の範囲内に収斂しない場合、トレーニング・シーケンスを使用し続ける方法がますます開発されている。
【発明の開示】
【発明が解決しようとする課題】
【０００８】
本発明が解決しようとする技術的課題は、チャンネル等化器の性能を向上させるために前記チャンネル等化器の出力信号が所定の範囲内に収斂しない場合、トレーニング・シーケンスを使用し続けられるチャンネル等化器及び方法を提供することである。
【課題を解決するための手段】
【０００９】
前記技術的課題を達成するためのチャンネル等化器は、フィードフォワードフィルタと、前記チャンネル等化器に入力される入力信号と前記フィードフォワードフィルタの出力信号とを受信し、前記入力信号と前記フィードフォワードフィルタの出力信号のうち何れか１つを前記フィードフォワードフィルタの入力信号として供給するスイッチング部と、を具備する。
【００１０】
前記フィードフォワードフィルタは直列に接続された多数のフィルタセルを具備し、前記多数のフィルタセルのそれぞれは対応するトレーニング・シーケンスを保存する。
【００１１】
前記スイッチング部は制御信号を受信し、前記チャンネル等化器の出力信号が収斂しない場合、前記スイッチング部は第１状態を有する制御信号に応答して前記フィードフォワードフィルタの出力信号をフィードバック経路を通じて前記フィードフォワードフィルタの入力信号として供給し、前記チャンネル等化器の出力信号が収斂する場合、前記スイッチング部は第２状態を有する前記制御信号に応答して前記入力信号を構成する信号のうちトレーニング・シーケンスを除外した信号を前記フィードフォワードフィルタの入力信号として供給する。
【００１２】
前記技術的課題を達成するためのチャンネル等化器は、入力端及び出力端を具備するフィードフォワードフィルタと、入力信号を受信する第１入力端、フィードバック経路を通じて前記フィードフォワードフィルタの出力端と接続される第２入力端、及び前記フィードフォワードフィルタの入力端に接続される出力端と、を具備するスイッチング部を具備する。
【００１３】
前記スイッチング部は制御信号に応答して前記第１入力端と前記第２入力端とのうち何れか１つと前記スイッチング部の出力端とを接続する。
【００１４】
前記チャンネル等化器の出力信号が収斂しない場合、前記スイッチング部は第１状態を有する制御信号に応答して前記第２入力端と前記スイッチング部の出力端とを接続し、その他の場合、前記スイッチング部は第２状態を有する前記制御信号に応答して前記第１入力端と前記スイッチング部の出力端とを接続する。前記フィードフォワードフィルタはトレーニング・シーケンスを保存するための多数のフィルタセルを具備する。
【００１５】
前記技術的課題を達成するためのチャンネル等化器は、フィードフォワードフィルタと、前記フィードフォワードフィルタの出力端に接続されるバッファ部と、前記チャンネル等化器に入力される入力信号と前記バッファ部の出力信号とを受信し、前記入力信号と前記バッファ部の出力信号のうち何れか１つを前記フィードフォワードフィルタの入力信号に供給するスイッチング部と、を具備する。
【００１６】
前記フィードフォワードフィルタと前記バッファ部のそれぞれは直列に接続された多数のフィルタセルを具備し、前記フィードフォワードフィルタと前記バッファ部のフィルタセルのそれぞれはシフトレジスタで具現される。前記フィードフォワードフィルタと前記バッファ部のフィルタセルのそれぞれはトレーニング・シーケンスを保存する。
【００１７】
前記チャンネル等化器の出力信号が収斂しない場合、前記スイッチング部は第１状態を有する制御信号に応答してフィードバック経路を通じて前記フィードフォワードフィルタの出力信号を前記フィードフォワードフィルタの入力信号として供給し、その他の場合、前記スイッチング部は第２状態を有する前記制御信号に応答して前記入力信号を構成する信号のうちトレーニング・シーケンスを除外した信号を前記フィードフォワードフィルタの入力信号として供給する。
【００１８】
前記技術的課題を達成するためのチャンネル等化器を使用してチャンネルを等化する方法は、前記チャンネル等化器の出力信号が収斂するか否かを判断する段階と、前記チャンネル等化器の出力信号が収斂しない場合、チャンネル等化器のフォワードフィルタに保存されたトレーニング・シーケンスを前記チャンネル等化器のフォワードフィルタの入力信号としてフィードバックさせる段階と、を具備する。前記方法を実行するコンピュータで実行させるためのプログラムは書込み媒体に保存される。
【００１９】
前記技術的課題を達成するためのチャンネル信号を等化する装置は、前記装置に入力されるチャンネル信号の歪曲を補償するためのフィードフォワードフィルタと、制御信号に基づいて前記フィードフォワードフィルタに出力信号を供給するスイッチング部と、を具備し、前記フィードフォワードフィルタは前記スイッチング部から受信された出力信号に基づいて前記パネル信号の歪曲を補償する。
【００２０】
前記フィードフォワードフィルタは前記スイッチング部から受信された出力信号とエラー信号とに基づいて前記パネル信号の歪曲を補償する。前記エラー信号は前記装置の出力信号と決定値の１つまたはそれ以上に基づいて発生する。
【００２１】
前記装置の出力信号が収斂しない場合、前記スイッチング部は第１状態を有する制御信号に応答してフィードバック経路を通じて前記フィードフォワードフィルタの出力信号を前記フィードフォワードフィルタの入力信号に供給し、その他の場合、前記スイッチング部は第２状態を有する前記制御信号に応答して前記入力信号を構成する信号のうちトレーニング・シーケンスを除外した信号を前記フィードフォワードフィルタの入力信号として供給する。
【００２２】
前記技術的課題を達成するためのＨＤＴＶ受信機のチャンネル等化器に入力されるチャンネル信号を等化する方法は、前記チャンネル等化器の出力信号が収斂するか否かを判断する段階と、前記チャンネル等化器の出力信号が収斂しない場合、入力されるチャンネル信号の歪曲を補償するために使われる少なくとも１つのトレーニング・シーケンスを提供する段階と、を具備する。前記方法を行うためのコンピュータで実行させるためのプログラムは書込み媒体に具現される。
【発明の効果】
【００２３】
本発明によるチャンネル等化器はチャンネル等化器の性能を向上させるために前記チャンネル等化器の出力信号が収斂しない場合、フィードフォワードフィルタの各フィルタセルに保存されたトレーニング・シーケンス（または、トレーニング・シーケンスのシンボル）を前記フィードフォワードフィルタの入力信号としてフィードバックさせて使用するので、入力信号の収斂速度を速める。
【００２４】
また、本発明によるチャンネル等化器のフィードフォワードフィルタは前記チャンネル等化器の出力信号が収斂しない場合、使用し続けるトレーニング・シーケンス（または、トレーニング・シーケンスのシンボル）を保存できるので、本発明によるチャンネル等化器のサイズは別途の保存装置を具備するチャンネル等化器のサイズよりかなり小さくなる。
【００２５】
本発明によるチャンネル等化器は前記チャンネル等化器の出力信号が収斂する場合、実際データ（図１のＤＡＴＡ＋ＦＥＣ）が前記フィードフォワードフィルタに保存されることが防止できるので、前記チャンネル等化器の消費電力はかなり減少する。
【発明を実施するための最良の形態】
【００２６】
本発明と本発明の動作上の利点及び本発明の実施によって達成される目的を十分に理解するためには本発明の望ましい実施例を例示する図面及び図面に記載された内容を参照せねばならない。
【００２７】
以下、図面を参照して本発明の望ましい実施例を説明することによって、本発明を詳細に説明する。各図面に提示された同じ参照符号は同じ部材を表す。
図１は、ＨＤＴＶに使われるデータフレームの一般的な構造を示す図面である。図１に示されたデータフレームはＨＤＴＶ用ＡＴＳＣ（Ａｄｖａｎｃｅｄ Ｔｅｌｅｖｉｓｉｏｎ Ｓｙｓｔｅｍ Ｃｏｍｍｉｔｔｅｅ）標準で定義されたデータフレームである。各データフレームは２つのデータフィールドで構成される。
【００２８】
各データフィールドは３１３個のセグメントで構成される。各データセグメントは８３２個のシンボルを具備し、各セグメントの最初の４個のシンボルはニ進数形態で伝送され、セグメント同期信号として提供される。
【００２９】
各データフィールドの第１のセグメントＦＩＥＬＤ ＳＹＮＣ＃１、またはＦＩＥＬＤ ＳＹＮＣ＃２は唯一の同期信号（または、データフィールド同期信号）であり、受信機の等化器で使われるトレーニング・シーケンスを含む。前記トレーニング・シーケンスは送信機及び受信機にあらかじめ知られている一定のパターンを有する。
【００３０】
前記データフィールド同期信号は周期的に発生し、チャンネルの変化によって伝送される信号のシンボルにエラーが発生すれば、チャンネル等化器はトレーニング・シーケンスを基準として変化されたチャンネル特性が相殺されるようにチャンネル等化器の係数を調節する。
【００３１】
第１のセグメントを除外した残りの３１２個のセグメントＤＡＴＡ＋ＦＥＣには実際的な情報を示すデータが存在する。トレーニング・シーケンスを使用したチャンネル等化のために送信機と受信機とに相互に知られている一定のパターンのデータが利用される。
【００３２】
すなわち、受信機が受信された信号からチャンネルを等化するために、送信機は一定期間の間、前記受信機で既知のデータシーケンスを伝送し、前記受信機は前記チャンネルを経る間に歪曲されたデータの波形及び既知の元のデータの波形を比較して前記チャンネルの歪曲程度を推定する。
【００３３】
前記データシーケンスを伝送する期間をトレーニングモードといい、前記トレーニング期間の間、伝送されるデータシーケンスをトレーニング・シーケンスという。前記トレーニング・シーケンスは一般的に擬似ランダム数列で構成される。
前記トレーニングモードが終われば、前記トレーニング・シーケンスの代わりに決定されたデータが使われるが、この期間をブラインドモードという。
【００３４】
図２は、本発明の第１実施例によるチャンネル等化器のブロック図である。図２を参照すれば、フィードフォワードフィルタ２２０を構成する多数のフィルタセル２２１−１ないし２２１−ｍの数がデータフレームの１つのセグメントを構成するシンボルの数Ｎより少ない場合を示す。
【００３５】
ここで、ｍは５１２であり、前記１つのセグメントを構成するシンボルの数Ｎは８３２個と仮定すれば、多数のフィルタセル２２１−１ないし２２１−ｍ、２１１−ｎないし２２１−Ｎのそれぞれは対応するトレーニング・シーケンスのシンボルを保存し、各シンボルはＫ（Ｋは自然数、Ｋ＝１０）ビットで構成されると仮定する。ここで、ｎ＝５１３、Ｎ＝８３２である。
【００３６】
図２を参照すれば、チャンネル等化器２００はスイッチング部２１０、フィードフォワードフィルタ２２０、バッファ部２３０、第１演算部２４０、フィードバックワードフィルタ２５０、決定部２６０及び第２演算部２７０を具備する。
【００３７】
スイッチング部２１０は制御信号ＣＴＲに応答して第１入力端に入力される入力信号ＩＤＡＴＡのうちトレーニング・シーケンスを含む第１のデータセグメント（図１のＦＩＥＬＤ ＳＹＮＣ＃１）、または入力信号ＩＤＡＴＡのうち第２のセグメントないし第３１３のセグメント（図１のＤＡＴＡ＋ＦＥＣ）のうち少なくとも１つのデータセグメントをフィードフォワードフィルタ２２０に伝送する。ここで、チャンネル等化器２００は制御信号ＣＴＲに応答してトレーニングモード、またはブラインドモードで動作する。
【００３８】
チャンネル等化器２００の出力信号ＥＱＤＡＴＡが所定の範囲内で収斂しない場合、チャンネル等化器２００は制御信号ＣＴＲに応答してフィードフォワードフィルタ２２０の各フィルタセル及びバッファ部２３０の各フィルタセルに保存されたトレーニング・シーケンスを使用し続ける。したがって、制御信号ＣＴＲはトレーニング・シーケンスの反復使用回数を制御する。
【００３９】
しかし、チャンネル等化器２００の出力信号ＥＱＤＡＴＡが所定の範囲内に収斂する場合、チャンネル等化器２００は制御信号ＣＴＲに応答して第２のセグメントないし第３１３のセグメント（図１のＤＡＴＡ＋ＦＥＣ）のうち少なくとも１つのデータセグメントをフィードフォワードフィルタ２２０に伝送する。この時、各フィルタセル２２１−１ないし２２１−Ｎは前記データセグメントを構成するシンボルを保存しない。
【００４０】
フィードフォワードフィルタ２２０は直列に相互接続された多数のフィルタセル（または、タブセル）２２１−１ないし２２１−ｍを具備する。多数のフィルタセル２２１−１ないし２２１−ｍのそれぞれは対応するトレーニング・シーケンスを保存するためのシフトレジスタを具備することができる。
【００４１】
バッファ部２３０は直列に接続された多数のフィルタセル２１１−ｎないし２２１−Ｎを具備する。多数のフィルタセル２１１−ｎないし２２１−Ｎのそれぞれは対応するトレーニング・シーケンスを保存するためのシフトレジスタを具備する。
【００４２】
ここで、データフレームの１つのセグメントを構成するシンボルの数（Ｎ、例えば、Ｎ＝８３２）はｎ（例えば、ｎ＝５１３）より大きい自然数であり、前記ｎはｍ（ｍ＝５１２）より大きい自然数である。したがって、バッファ部２３０のフィルタセル等の数は（Ｎ−ｍ）個であることが望ましい。
【００４３】
フィードフォワードフィルタ２２０の第５１２のフィルタセル（２２１−ｍ、ｍ＝５１２）はバッファ部２３０の第１のフィルタセル（２１１−ｎ、ｎ＝５１３）と接続され、バッファ部２３０の第３２０のフィルタセル（２１１−Ｎ、Ｎ＝８３２）はスイッチング部２１０の第２入力端に接続されるので、各トレーニング・シーケンスのシンボルは各フィルタセルを通じて順次にシフトされる。したがって、フィードフォワードフィルタ２２０の出力信号はバッファ部２３０とスイッチング部２１０とを通じてフィードフォワードフィルタ２２０の入力信号としてフィードバックされる。
【００４４】
フィードフォワードフィルタ２２０は、スイッチング部２１０の出力信号と第２演算部２７０から出力されるエラー信号ＥＲＲとを受信し、スイッチング部２１０の出力信号の歪曲を補償し、その結果ＦＦＦＯを第１演算部２４０に出力する。したがって、フィードフォワードフィルタ２２０は入力信号ＩＤＡＴＡに含まれたプレゴーストを除去できる。
【００４５】
ここで、エラー信号ＥＲＲのそれぞれは多数のフィルタセル２２１−１ないし２２１−ｍのそれぞれの係数を独立的に調節（または、更新）する。したがって、当業界でよく知らされたようにエラー信号ＥＲＲのそれぞれはスイッチング部２１０の出力信号と乗算され、乗算された各結果は全て加算され、その加算された結果はフィードフォワードフィルタ２２０の出力信号ＦＦＦＯとなる。
【００４６】
第１演算部２４０はフィードフォワードフィルタ２２０の出力信号ＦＦＦＯとフィードバックワードフィルタ２５０の出力信号ＦＢＦＯとを受信して加算し、その加算結果としてチャンネル等化器出力信号ＥＱＤＡＴＡを発生させる。
【００４７】
フィードバックワードフィルタ２５０は当業界で公知のように、直列に接続された多数のフィルタセル（図示せず）を具備し、決定部２６０の出力信号ＤＯＵＴを受信し、エラー信号ＥＲＲに応答して発生した出力信号ＦＢＦＯを第１演算部２４０に出力する。したがって、フィードバックワードフィルタ２５０は入力信号ＩＤＡＴＡに含まれたポストゴーストを除去できる。
【００４８】
決定部２６０はスライサで具現でき、第１演算部２４０の出力信号ＥＱＤＡＴＡを受信し、所定の決定値ＤＯＵＴを出力する。一般的に前記決定値ＤＯＵＴは８種の値、すなわち７、５、３、１、−１、−３、−５及び−７のうち何れか１つの値を有する。したがって、決定部２６０は第１演算部２４０の出力信号ＥＱＤＡＴＡを受信し、８種の値のうち何れか１つの値ＤＯＵＴをフィードバックワードフィルタ２５０及び第２演算部２７０に出力する。
【００４９】
第２演算部２７０は第１演算部２４０の出力信号ＥＱＤＡＴＡと決定部２６０の出力信号ＤＯＵＴとを受信し、決定部２６０の出力信号ＤＯＵＴから第１演算部２４０の出力信号ＥＱＤＡＴＡを差し引き、その結果として発生したエラー信号ＥＲＲを出力する。
【００５０】
前記エラー信号ＥＲＲはフィードフォワードフィルタ２２０を構成する各フィルタセルの係数と、フィードバックワードフィルタ２５０を構成する各フィルタセルの係数とをそれぞれ調節（または更新）する。したがって、フィードフォワードフィルタ２２０とフィードバックワードフィルタ２５０とは入力信号ＩＤＡＴＡの歪曲をそれぞれ補償する。
【００５１】
したがって、チャンネル等化器２００の第１演算部２４０はフィードフォワードフィルタ２２０の出力信号ＦＦＦＯとフィードバックワードフィルタ２５０の出力信号ＦＢＦＯの出力信号とを加算し、その加算結果ＥＱＤＡＴＡを出力する。
【００５２】
図３は、本発明の第２実施例によるチャンネル等化器のブロック図である。図３を参照すれば、フィードフォワードフィルタ３１０を構成する多数のフィルタセル２２１−１ないし２２１−Ｎの数とデータフレームの各セグメントを構成するシンボルの数Ｎが同じ場合を図示する。
【００５３】
ここで、Ｎは８３２であり、前記各セグメントを構成するシンボルの数Ｎが８３２であると仮定し、多数のフィルタセル３１１−１ないし３１１−８３２のそれぞれは８３２個のシンボルのうち対応するトレーニング・シーケンスのシンボルを保存し、１つのシンボルはＫ（Ｋは自然数、Ｋ＝１０）ビットで構成されると仮定する。
【００５４】
図３を参照すれば、チャンネル等化器３００はスイッチング部２１０、フィードフォワードフィルタ３１０、第１演算部２４０、フィードバックワードフィルタ２５０、決定部２６０及び第２演算部２７０を具備する。
【００５５】
フィードフォワードフィルタ３１０は直列に接続される８３２個のフィルタセル３１１−１ないし３１１−８３２を具備する。第８３２のフィルタセル３１１−８３２はフィードバック経路３２０を通じてスイッチング部２１０の第２入力端に接続される。
【００５６】
したがって、フィードフォワードフィルタ３１０の第Ｎのフィルタセル３１１−８３２から出力された出力信号はフィードバック経路３２０、スイッチング部２１０の第２入力端及びスイッチング部２１０の出力端を通じてフィードフォワードフィルタ３１０の第１のフィルタセル３１１−１にフィードバックされる。ここで、第１のシンボルが第Ｎのフィルタセル３１１−８３２に保存される場合、第８３２のシンボルは第１のフィルタセル３１１−１に保存される。
【００５７】
前記チャンネル等化器３００の出力信号ＥＱＤＡＴＡが収斂しない場合、前記スイッチング部２１０は第１状態（例えば、論理ロー）を有する制御信号ＣＴＲに応答して前記第２入力端と前記スイッチング部の出力端とを接続し、前記チャンネル等化器３００の出力信号ＥＱＤＡＴＡが収斂する場合、前記スイッチング部２１０は第２状態（例えば、論理ハイ）を有する前記制御信号ＣＴＲに応答して前記第１入力端２０１と前記スイッチング部２１０の出力端とを接続する。
【００５８】
図３に示された各部２１０、２４０、２５０、２６０及び２７０の機能及び動作は図２に示された各部２１０、２４０、２５０、２６０及び２７０の機能及び動作と同一である。
【００５９】
図４は、本発明の第３実施例によるチャンネル等化器のブロック図である。図４を参照すれば、フィードフォワードフィルタ４１０を構成する多数のフィルタセル２２１−１ないし２２１−Ｍの数Ｍがデータフレームの各セグメントを構成するシンボルの数Ｎより大きい場合を図示する。
【００６０】
ここで、Ｎは８３２であり、ｍは８３３であり、Ｍは１０２４であり、前記各セグメントを構成するシンボルの数が８３２個であると仮定し、多数のフィルタセル３１１−１ないし３１１−８３２それぞれは８３２個のシンボルのうち対応するトレーニング・シーケンスのシンボルを保存し、１つのシンボルはＫ（Ｋは自然数、Ｋ＝１０）ビットで構成されると仮定する。
【００６１】
図４のチャンネル等化器４００はフィードフォワードフィルタ４１０を除外すれば、図３のチャンネル等化器３００と同一である。
フィードフォワードフィルタ４１０は直列に接続される１０２４個のフィルタセル３１１−１ないし３１１−１０２４を具備する。第８３２のフィルタセル３１１−８３２はフィードバック経路４２０を通じてスイッチング部２１０の第２入力端に接続される。したがって、フィードフォワードフィルタ４１０の出力信号はフィードバック経路４２０及びスイッチング部２１０を通じてフィードフォワードフィルタ３１０の入力信号としてフィードバックされる。
【００６２】
本発明の実施例はコンピュータシステムで実行できるプログラムで作成可能である。また、前記プログラムを書き込んだコンピュータで読み取り可能な書込み媒体から読み取られた該当プログラムはディジタルコンピューターシステムで実行されうる。前記書込み媒体には、マグネチック保存媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような媒体が含まれる。
【００６３】
本発明は図面に示された一実施例を参考に説明されたが、これは例示的なものに過ぎず、本技術分野の当業者であれば、これより多様な変形及び均等な他の実施例が可能である点が理解できる。したがって、本発明の真の技術的保護範囲は特許請求の範囲の技術的思想により定められねばならない。
【産業上の利用可能性】
【００６４】
本発明はチャンネル等化器及びチャンネル等化方法に関わり、例えばＨＤＴＶ受信機に使用可能である。
【図面の簡単な説明】
【００６５】
【図１】ＨＤＴＶに使われるデータフレームの一般的な構造を表す図面である。
【図２】本発明の第１実施例によるチャンネル等化器のブロック図である。
【図３】本発明の第２実施例によるチャンネル等化器のブロック図である。
【図４】本発明の第３実施例によるチャンネル等化器のブロック図である。
【符号の説明】
【００６６】
２００    チャンネル等化器
２０１    第１入力端
２１０    スイッチング部
２２０    フィードフォワードフィルタ
２３０    バッファ部
２４０    第１演算部
２５０    フィードバックワードフィルタ
２６０    決定部
２７０    第２演算部
２２１−Ｎ，・・・２２１−ｎ,２２１−１，２２１−２，２２１−３，・・・２２１−ｍ    フィルタセル
ＦＦＦＯ、ＦＢＦＯ、ＥＱＤＡＴＡ、ＤＯＵＴ    出力信号
ＥＲＲ    エラー信号
【図１】
2005073260.tif 000003
【図２】
2005073260.tif 000004
【図３】
2005073260.tif 000005
【図４】
2005073260.tif 000006